(57)【要約】【課題】各種施設・設備の監視・操作において常に良く見る画面、あるいは重要な画面に対してウィンドウの動作として区別する仕組みを設けることにより、施設・設備の監視・操作を行う操作員による操作性が向上し、また、施設・設備を監視する操作員相互にとって情報共有を効率的に行うことが可能となる画面表示装置を提供する。【解決手段】ディスプレイ画面１０において、Ａ画面〜Ｄ画面は通常のウィンドウ１であり、Ｅ画面が常に最背面に置かれる特定のウィンドウ２である。（ａ）のように、通常のウィンドウであるＢ画面を、操作（クリック）した場合に限らず、（ｂ）のように、特定のウィンドウ２であるＥ画面を操作（クリック）した場合でも特定のウィンドウ２は、最背面に置かれ、アクティブなウィンドウ４となる。このように、特定のウィンドウ２が常に最背面に置かれることにより、操作性が向上する。【選択図】図２
2008287547.tif 000002
【特許請求の範囲】
【請求項１】
各種設備・施設を監視・操作するための画面を表示する画面表示装置において、
複数のウィンドウを重ねて表示する状態で、ある特定のウィンドウは、重なったウィンドウの中で、ある特定の位置に置かれることを特徴とする画面表示装置。
【請求項２】
各種設備・施設を監視・操作するための画面を表示する画面表示装置において、
複数のウィンドウを重ねて表示する状態で、ある特定のウィンドウは、常に最背面に置かれることを特徴とする画面表示装置。
【請求項３】
請求項１または請求項２に記載の画面表示装置において、
前記複数のウィンドウは、監視・操作対象となる各種設備・施設の全体の情報を表示するウィンドウと、監視・操作対象となるある個々の設備・施設の情報を表示するウィンドウとを含むものであり、前記特定のウィンドウは、監視・制御対象となる各種設備・施設の全体の状況を表示するウィンドウであることを特徴とする画面表示装置。
【請求項４】
請求項１乃至請求項３のいずれか１項に記載の画面表示装置において、
前記特定のウィンドウは、他のウィンドウに隠れていない部分について、画面の操作を受け付けることができることを特徴とする画面表示装置。
【請求項５】
請求項１乃至請求項４のいずれか１項に記載の画面表示装置において、
前記特定のウィンドウは、ウィンドウ上に、前記特定のウィンドウであることを示す識別子が付加されていることを特徴とする画面表示装置。
【発明の詳細な説明】
【技術分野】
【０００１】
本発明は、例えば上下水道等の各種施設・設備を監視・制御する監視制御システムにおいて、監視・操作画面の表示を行う画面表示装置に関するものである。
【背景技術】
【０００２】
例えば上下水道等の各種施設・設備を効率的に監視・制御するシステムとして監視制御システムの導入が進んでいる。近年では汎用パソコンの普及により、監視制御システムにも汎用パソコンを利用する動きが進んでおり、また、その監視・操作画面についてもウィンドウ内に監視・操作する施設・設備のフロー図、トレンドグラフ、動作履歴、帳票等を表示することが行われている。
【０００３】
各種施設・設備の監視・操作を行う操作員にとって、監視・操作の画面では、常に良く見る画面、あるいは重要な画面というものが存在する。しかし、現状のウィンドウによる監視・操作画面では、常に良く見る画面、あるいは重要な画面に対してウィンドウの動作として区別することはあまり行われていない。
【０００４】
一方、表示された複数の画面について、直近に出力された画面を重要度が高い画面と判断するとともに、出力されてから長い時間経過したものを重要度が低い画面と判断し、時間の経過に応じてこれらの画面の色の濃さを変えることにより画面の重要度を識別することが考えられている（例えば、特許文献１参照）。
【特許文献１】特開平７−２６１８３３号公報（第６頁、図１２）
【発明の開示】
【発明が解決しようとする課題】
【０００５】
上述のように、現状のウィンドウによる監視・操作画面では、常に良く見る画面、あるいは重要な画面に対してウィンドウの動作として区別することはあまり行われていない。従って、表示されている複数の画面のうち、どの画面が常に良く見る画面、あるいは重要な画面であるのかの識別が困難で、そのため監視・操作を行う操作員による操作の効率がよくないという問題点があった。
【０００６】
なお、特許文献１のように、直近に出力された画面を重要度が高い画面と判断することも一つの考え方ではあるが、直近に出力された画面が必ずしも重要度が高いとは限らず、常にある特定の画面が重要である場合には、やはりこれを重要な画面として識別できないという問題点があった。
【０００７】
本発明は、上記のような従来の問題点に鑑みて為されたもので、各種施設・設備の監視・操作において常に良く見る画面、あるいは重要な画面に対してウィンドウの動作として区別する仕組みを設けることにより、施設・設備の監視・操作を行う操作員による操作性が向上し、また、施設・設備を監視する操作員相互にとって情報共有を効率的に行うことが可能となる画面表示装置を提供することを目的とする。
【課題を解決するための手段】
【０００８】
上記目的を達成する為に、本発明は、各種設備・施設を監視・操作するための画面を表示する画面表示装置において、複数のウィンドウを重ねて表示する状態で、ある特定のウィンドウは、重なったウィンドウの中で、ある特定の位置に置かれることを特徴とする。
【発明の効果】
【０００９】
本発明によれば、複数のウィンドウで監視・操作を行うときに、ある特定の画面のウィンドウが、常に重なったウィンドウの中で、ある特定の位置に置かれることにより、施設・設備の監視・操作を行う操作員による操作性が向上し、また、施設・設備の監視・操作を行う操作員相互の情報の共有に有効に活用することが可能となる。
【発明を実施するための最良の形態】
【００１０】
以下、図面を参照して本発明の実施形態について詳細に説明する。なお、以下の図において、同符号は同一部分または対応部分を示す。
【００１１】
図１は、本発明の一実施形態に係る画面表示装置の概略構成を示す図である。同図に示すように、本実施形態の画面表示装置は、各種設備・施設を監視・操作するための画面を表示する表示部１１、操作員が表示部１１に表示された画面を操作するための例えばマウス，キーボード等からなる操作部１２、および表示部１１，操作部１２等の画面表示装置における各部の動作を制御する制御部１３で構成されている。なお、この画面表示装置は、汎用パソコンを利用して構成することができる。
【００１２】
本実施形態においては、表示部１１に、重なり合って表示される複数の画面のウィンドウのうち、ある特定の画面のウィンドウ、すなわち常に良く見る画面、あるいは重要な画面のウィンドウの、前後の表示順序についての位置、すなわち前面から何番目の画面のウィンドウであるかを示す位置を、常にある特定の位置に固定して表示するように構成している。なお、ここでは、ある特定の画面のウィンドウが常に最背面におかれる場合について説明する。
【００１３】
まず、この動作の概要を、図２を参照して説明する。
【００１４】
図２に示すように、表示部１１のディスプレイ画面１０において、開いているウィンドウがＡ画面、Ｂ画面、Ｃ画面、Ｄ画面、Ｅ画面の５面、表示順序は最前面から、Ａ画面、Ｂ画面、Ｃ画面、Ｄ画面、Ｅ画面の順となっている。Ａ画面〜Ｄ画面は通常のウィンドウ１であり、Ｅ画面が常に最背面に置かれる特定のウィンドウ２である。図２（ａ）は通常のウィンドウであるＢ画面を、操作部１２のマウスで操作（クリック）した場合であり、この場合はＢ画面がアクティブな通常のウィンドウ３となり、最前面に表示されることになる。図２（ｂ）は特定のウィンドウ２であるＥ画面を操作部１２のマウスで操作（クリック）した場合であり、この場合はＥ画面がアクティブになるものの、最背面に置かれたままのアクティブなウィンドウ４となる。
【００１５】
本実施形態における画面表示方法と、従来の画面表示方法を比較したものを図３に示す。図２と同様に、開いているウィンドウがＡ画面、Ｂ画面、Ｃ画面、Ｄ画面、Ｅ画面の５面、表示順序は最前面から、Ａ画面、Ｂ画面、Ｃ画面、Ｄ画面、Ｅ画面の順となっている。従来の画面表示方法を示す図３（ｂ）ではＡ画面〜Ｅ画面は全て通常のウィンドウ１であり、本実施形態における画面表示方法を示す図３（ａ）ではＡ画面〜Ｄ画面は通常のウィンドウ１、Ｅ画面が常に最背面に置かれる特定のウィンドウ２である。図３の（ａ）、（ｂ）ともにＥ画面を操作(クリック)した場合に、従来の画面表示方法を示す（ｂ）の場合はＥ画面がアクティブなウィンドウ３となり最前面に表示されることになるが、本実施形態における画面表示方法を示す（ａ）の場合はＥ画面がアクティブなウィンドウ４になるものの、最背面に置かれたままとなる、という違いがある。
【００１６】
次に、本実施形態における画面表示方法の動作について、図４のフローチャート、および図５の各画面ウィンドウが有するパラメータを用いて説明する。
【００１７】
図５に示すように、各画面ウィンドウは、それぞれ属性フラグ、表示順序、アクティブフラグのパラメータを持つ。これらのパラメータは、制御部１３の記憶手段に記憶される。属性フラグは、そのウィンドウが通常のウィンドウ（パラメータ値０）であるか、常に最背面に置かれる特定のウィンドウ（パラメータ値１）であるか、を示すものである。表示順序は、そのウィンドウが上から何番目に表示されているかを示すものである。アクティブフラグは、その画面が操作（クリック）を受け付けている（パラメータ値１）か、受け付けていない （パラメータ値０） か、を示すものである。
【００１８】
図２の画面の操作（クリック）を行う前の状態では、属性フラグは、Ａ画面〜Ｄ画面のパラメータは０、Ｅ画面のパラメータは１となる。また、表示順序は、Ａ画面のパラメータは１、Ｂ画面のパラメータは２、Ｃ画面のパラメータは３、Ｄ画面のパラメータは４、Ｅ画面のパラメータは５となる。アクティブフラグは、Ａ画面が操作（クリック）を受け付けている状態で、Ａ画面のパラメータは１、Ｂ画面〜Ｅ画面のパラメータは０となっている。
【００１９】
図２（ａ）のように通常のウィンドウ１であるＢ画面を操作部１２のマウスで操作（クリック）した場合（ステップＳ４１）、まずＢ画面のアクティブフラグが１となり、Ｂ画面はアクティブ状態となる（ステップＳ４２）。次に、Ｂ画面の属性フラグが１かどうかを判定する（ステップＳ４３）。Ｂ画面の属性フラグは０であるため、Ｂ画面の表示順序の値を１に変更し、Ｂ画面よりも表示順序の値が小さかったＡ画面の表示順序の値１に１を加えて２に変更する（ステップＳ４４）。これにより、Ｂ画面は最前面に、Ａ画面はその背面に表示されることになる。Ｃ画面〜Ｅ画面についての表示は特に変わらない。
【００２０】
一方、図２（ｂ）のように常に最背面に置かれる特定のウィンドウ２であるＥ画面を操作部１２のマウスで操作（クリック）した場合（ステップＳ４１）、まずＥ画面のアクティブフラグが１となり、Ｅ画面はアクティブ状態となる（ステップＳ４２）。つぎにＥ画面の属性フラグが１かどうかを判定する（ステップＳ４３）。Ｅ画面の属性フラグは１であるため、画面の表示順序に変更はない（ステップＳ４５）。従って、Ｅ画面はアクティブ状態となるものの、最前面には表示されず、最背面のままとなる。
【００２１】
このような画面表示装置による画面利用方法の一例を図６に示す。複数の機場とネットワークで接続された中央の監視・制御装置において、各機場に設けられた各種施設・設備の監視・操作を行う画面を想定した場合、常に最背面に置かれる特定のウィンドウ（Ｅ画面）４には、全ての機場の状況、すなわち各種施設・設備の全体の状況を把握することができるような画面を配置し、その他の通常のウィンドウ（Ａ画面〜Ｄ画面）１には、それぞれ、個々の機場の施設・設備の情報を表示する画面を配置することが考えられる。各種施設・設備の全体の状況を把握することができるような画面が常に同じ位置にあるということで、施設・設備の監視・操作を行う操作員にとって操作性の向上が期待でき、また操作員相互の情報共有としても有効であると考えられる。
【００２２】
すなわち、特定のウィンドウ（Ｅ画面）が常に最背面に置かれていることにより、施設・設備の監視・操作を行う際に多くのウィンドウを開いている場合には、その中から必要な情報を探しやすくなり、操作における手間も省くことが可能となる。ただし、確認したい情報が他のウィンドウにより隠れている場合には、その内容を確認したり、操作したりすることができないため、前面のウィンドウを動かすか閉じるなどして確認や操作を行うことになる。
【００２３】
なお、監視・操作を行う操作員によっては、あるウィンドウが通常のウィンドウなのか、常に最背面に置かれる特定のウィンドウなのかどうかが分らない場合が想定される。そこで、例えば、図７に示すように通常のウィンドウなのか、常に最背面に置かれる特定のウィンドウなのかを区別するために、特定のウィンドウ上に、特定のウィンドウであることを示す識別子を付加する。すなわち、ウィンドウ上部のバーの色を変えて識別したり、また、識別用のマーク（アイコン）を入れたりすることで、常に最背面に置かれる特定のウィンドウであることを識別することも可能である。例えば、ウィンドウ上部のバーの色を、通常のウィンドウでは、アクティブ状態の場合は青、アクティブ状態でない場合は白とするのに対し、特定のウィンドウでは、アクティブ状態の場合は濃い水色、アクティブ状態でない場合は薄い水色とすればよい。
【００２４】
なお、上述の説明では、特定のウィンドウが常に最背面におかれることを想定して説明したが、特定のウィンドウが例えば最前面に置かれたり、また最前面からn番目に置かれたりしても良い。また、上述の説明では、各種施設・設備の監視・操作を行う画面を対象として記述しているが、本実施形態の画面表示装置は、特に施設・設備の監視・操作を行う画面に限定されるものではない。
【００２５】
以上、本実施形態により実現される効果として、下記の点があげられる。
【００２６】
（１）各種施設・設備の監視・制御において常に良く見る画面、あるいは重要な画面のウィンドウである特定のウィンドウが画面上の常に同じ位置にあるということで、常に良く見る画面、あるいは重要な画面が認識し易くなり、施設・設備を監視・制御する操作員にとって操作性の向上が図られる。また、施設・設備を監視・制御する操作員相互にとって情報共有を効率的に行うことが可能となる。
【００２７】
（２）監視・制御を行う画面はあくまでウィンドウであるため、施設・設備を監視する操作員は、特に大きな違和感を感じることなく使用することができる。
【図面の簡単な説明】
【００２８】
【図１】本発明の一実施形態に係る画面表示の概略構成を示すブロック図。
【図２】本発明の一実施形態の動作の概要を示す図。
【図３】本発明の一実施形態の動作を、従来例の動作と比較して示す図。
【図４】本発明の一実施形態における、画面操作時の動作を示すフローチャート。
【図５】本発明の一実施形態における、画面操作時の各画面ウィンドウが有するパラメータの変化を示す図。
【図６】本発明の一実施形態の画面表示装置による画面利用方法の一例を示す図。
【図７】本発明の一実施形態における特定のウィンドウを識別するための表示方法の一例を示す図。
【符号の説明】
【００２９】
１…通常のウィンドウ
２…常に最背面に置かれる特定のウィンドウ
３…アクティブな通常のウィンドウ
４…アクティブな常に最背面に置かれる特定のウィンドウ
５…マウスカーソル
６…クリックを行ったマウスカーソル
１０…ディスプレイ画面
１１…表示部
１２…操作部
１３…制御部
【図１】
2008287547.tif 000003
【図２】
2008287547.tif 000004
【図３】
2008287547.tif 000005
【図４】
2008287547.tif 000006
【図５】
2008287547.tif 000007
【図６】
2008287547.tif 000008
【図７】
2008287547.tif 000009